(57)【特許請求の範囲】
【請求項１】
DRX（不連続受信）動作を実行する方法は、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを含み、
最多の物理ダウンリンク制御チャネル（PDCCH）サブフレームを有する前記複数のセルのうちの一つは、次のPDCCHサブフレームを探し、前記セットのDRXタイマーを動作させるように用いられる方法。
【請求項２】
DRX（不連続受信）動作を実行する方法は、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを含み、
最少の物理ダウンリンク制御チャネル（PDCCH）サブフレームを有する前記複数のセルのうちの一つは、次のPDCCHサブフレームを探し、前記セットのDRXタイマーを動作させるように用いられる方法。
【請求項３】
DRX（不連続受信）動作を実行する方法は、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを含み、
前記複数のセルの物理ダウンリンク制御チャネル（PDCCH）サブフレームの集合（union）は、次のPDCCHサブフレームを探し、前記セットのDRXタイマーを動作させるように用いられる方法。
【請求項４】
DRX（不連続受信）動作を実行する方法は、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを含み、
前記複数のセルの物理ダウンリンク制御チャネル（PDCCH）サブフレームのの共通集合（intersection）は、次のPDCCHサブフレームを探し、前記セットのDRXタイマーを動作させるように用いられる方法。
【請求項５】
前記セットのDRXタイマーは、onDurationTimer、drx-InactivityTimer、及びdrxRetransmissionTimerの任意の１つの任意の組み合わせを含む請求項１〜４のうちのいずれか１項に記載の方法。
【請求項６】
キャリアアグリゲーション内の前記複数のセルは、プライマリサービングセル（PCell）及び少なくとも１つのセカンダリサービングセル（SCell）を含む請求項１〜４のうちのいずれか１項に記載の方法。
【請求項７】
DRX（不連続受信）動作を実行する方法は、
時分割多重（TDD）モードでユーザ端末（UE）を第１TDDアップリンク−ダウンリンク（Uplink-Downlink）配置を有するプライマリサービングセル（PCell）に接続するステップ、
前記ユーザ端末を前記第１TDD  UL-DL配置と異なる前記第２TDD  UL-DL配置を有する少なくとも１つのセカンダリサービングセル（SCell）に配置するステップ、
前記PCell及び前記少なくとも１つのSCellを１セットのDRXタイマーのDRX動作に配置するステップ、及び
前記PCell及び前記少なくとも１つのSCellの物理ダウンリンク制御チャネル（PDCCH）サブフレームの集合（union）を用いて、前記PCell及び前記少なくとも１つのSCellに１セットのDRXタイマーを動作させ、次のPDCCHサブフレームを探すステップを含む方法。
【請求項８】
前記セットのDRXタイマーは、onDurationTimer、  drx-InactivityTimer、及び  drxRetransmissionTimerの任意の１つの任意の組み合わせを含む請求項７に記載の方法。
【請求項９】
DRX（不連続受信）動作を実行する方法は、
時分割多重（TDD）モードでユーザ端末（UE）を第１TDDアップリンク−ダウンリンク（Uplink-Downlink）配置を有するプライマリサービングセル（PCell）に接続するステップ、
前記ユーザ端末を前記第１TDD  UL-DL配置と異なる前記第２TDD  UL-DL配置を有する少なくとも１つのセカンダリサービングセル（SCell）に配置するステップ、
前記PCell及び前記少なくとも１つのSCellを１セットのDRXタイマーのDRX動作に配置するステップ、及び
前記PCell及び前記少なくとも１つのSCellの物理ダウンリンク制御チャネル（PDCCH）サブフレームの共通集合（intersection）を用いて、前記PCell及び前記少なくとも１つのSCellに１セットのDRXタイマーを動作させ、次のPDCCHサブフレームを探すステップを含む方法。
【請求項１０】
前記セットのDRXタイマーは、onDurationTimer、drx-InactivityTimer、及びdrxRetransmissionTimerの任意の１つの任意の組み合わせを含む請求項９に記載の方法。
【請求項１１】
無線通信システムのユーザ端末の放送（broadcast）情報を受信する通信装置であって、前記通信装置は、
制御回路、
前記制御回路に設置された処理装置、及び
前記制御回路に設置され、前記プロセッサに接続されたメモリを含み、
前記処理装置は、前記メモリに保存されたプログラムコードを実行して放送情報を受信するように配置され、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを実行し、
最多の物理ダウンリンク制御チャネル（PDCCH）サブフレームを有する前記複数のセルのうちの一つは、次のPDCCHサブフレームを探し、前記セットのDRXタイマーを動作させるように用いられる通信装置。
【請求項１２】
無線通信システムのユーザ端末の放送（broadcast）情報を受信する通信装置であって、前記通信装置は、
制御回路、
前記制御回路に設置された処理装置、及び
前記制御回路に設置され、前記プロセッサに接続されたメモリを含み、
前記処理装置は、前記メモリに保存されたプログラムコードを実行して放送情報を受信するように配置され、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを実行し、
最少の物理ダウンリンク制御チャネル（PDCCH）サブフレームを有する前記複数のセルのうちの一つは、次のPDCCHサブフレームを探し、前記セットのDRXタイマーを動作させるように用いられる通信装置。
【請求項１３】
無線通信システムのユーザ端末の放送（broadcast）情報を受信する通信装置であって、前記通信装置は、
制御回路、
前記制御回路に設置された処理装置、及び
前記制御回路に設置され、前記プロセッサに接続されたメモリを含み、
前記処理装置は、前記メモリに保存されたプログラムコードを実行して放送情報を受信するように配置され、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを実行し、
前記複数のセルの物理ダウンリンク制御チャネル（PDCCH）サブフレームの集合（union）は、次のPDCCHサブフレームを探し、前記セットのDRXタイマーを動作させるように用いられる通信装置。
【請求項１４】
無線通信システムのユーザ端末の放送（broadcast）情報を受信する通信装置であって、前記通信装置は、
制御回路、
前記制御回路に設置された処理装置、及び
前記制御回路に設置され、前記プロセッサに接続されたメモリを含み、
前記処理装置は、前記メモリに保存されたプログラムコードを実行して放送情報を受信するように配置され、
複数のセルをキャリアアグリゲーション内に配置するステップ、
前記複数のセルを複数の時分割多重（TDD）アップリンクダウンリンク（  UL-DL）配置内に配置するステップ、
前記複数のセルをDRX動作内に配置するステップ、
１セットのDRXタイマーを前記複数のセル内に配置するステップ、及び
前記セットのDRXタイマーを複数のセル内で動作させるステップを実行し、
前記複数のセルの物理ダウンリンク制御チャネル（PDCCH）サブフレームのの共通集合（intersection）は、次のPDCCHサブフレームを探し、前記セットのDRXタイマーを動作させるように用いられる通信装置。
【請求項１５】
前記セットのDRXタイマーは、onDurationTimer、drx-InactivityTimer、及びdrxRetransmissionTimerの任意の１つの任意の組み合わせを含む請求項１１〜１４のうちいずれか１項に記載の通信装置。
【請求項１６】
キャリアアグリゲーション内の前記複数のセルは、プライマリサービングセル（PCell）及び少なくとも１つのセカンダリサービングセル（SCell）を含む請求項１１〜１４のうちいずれか１項に記載の通信装置。
【発明の詳細な説明】
【技術分野】
【０００１】
本発明は、無線通信ネットワークに関し、特に、キャリアアグリゲーション（CA）における時分割多重（Time  Division  Duplex；  TDD）及び周波数分割多重（Frequency  Division  Duplex；  FDD）モードに対する間欠受信（DRX）動作を改善する方法及び装置に関するものである。
【背景技術】
【０００２】
モバイル通信デバイス間の大量のデータ通信のための需要が急上昇していることに伴って、従来のモバイル音声通信ネットワークは、インターネットプロトコル（IP）データパケットと通信するネットワークに発展した。このようなIPデータパケット通信は、ユーザにボイスオーバーIP、マルチメディア、マルチキャスト、及びオンデマンド通信サービスを備えるモバイル通信デバイスを提供し得る。
【０００３】
標準化が現在行われている模範的なネットワーク構造は、進化型ユニバーサル地上無線アクセスネットワーク（Evolved  Universal  Terrestrial  Radio  Access  Network；E-UTRAN）である。E-UTRANシステムは、上述のボイスオーバーIP及びマルチメディアサービスを実行するために、高データスループットを提供し得る。E-UTRANシステムの標準化作業は、３GPP標準化機関によって現在行われている。よって、３GPP標準化の現在の機関への移行が目下、検討されており、３GPP標準化を発展させることを図っている。
【発明の概要】
【発明が解決しようとする課題】
【０００４】
キャリアアグリゲーション（CA）における時分割多重（TDD）及び周波数分割多重（FDD）モードに対する間欠受信（DRX）動作を改善する方法及び装置を提供する。
【課題を解決するための手段】
【０００５】
本方法及び装置は、DRX（不連続受信）動作の実行を開示する。１つの実施形態では、前記方法は、（１）複数のセルをキャリアアグリゲーション内に配置し、（２）複数のセルを複数のTDD  UL-DL配置内に配置し、（３）複数のセルをDRX動作内に配置し、（４）１セットのDRXタイマーを複数のセル内に配置し、（５）前記セットのDRXタイマーを複数のセル内に動作させるステップを含む。
【図面の簡単な説明】
【０００６】
【図１】１つの実施形態に基づく、無線通信システムの図を表している。
【図２】１つの実施形態に基づく、送信システム（アクセスネットワークとも知られる）及び受信システム（ユーザ端末またはUEとも知られる）のブロック図である。
【図３】１つの実施形態に基づく、通信デバイスの機能ブロック図である。
【図４】１つの実施形態に基づく、図３のプログラムコードの機能ブロック図である。
【図５】１つの実施形態に基づく、流れ図を示している。
【発明を実施するための形態】
【０００７】
以下に述べられる模範的な通信システム及び装置は、放送サービスをサポートする。無線通信システムは、例えば、音声、データなどの各種の通信を提供するのに広く用いられる。これらのシステムは、符号分割多重接続（CDMA）、時分割多元接続（TDMA）、直交周波数分割多重接続（OFDMA）、３GPPロングタームエボリューション（Long  Term  Evolution；LTE）無線アクセス、３GPP  ロングタームエボリューションアドバンスト（LTE-A）、３GPP２  ウルトラモバイルブロードバンド（UMB）、ワイマックス（WiMax）、または他の変調技術に基づくことが可能である。
【０００８】
特に、以下叙述された例示的な無線通信システム装置は、１つ以上の標準、例えばここでは３GPPと称する「第３世代移動体通信システムの標準化プロジェクト（3rd  Generation  Partnership  Project）」  という名称のコンソーシアムによって提供される標準を支援するように制定されることができ、文書番号RP-110451、「WID−LTE_CA_enhancement−Core  Part」;  R2-112798、「異なるTDD配置のHARQ及びクロスキャリアスケジューリング（HARQ  and  Cross-carrier  Scheduling  for  Different  TDD  Configurations）」;  R2-112816、「異なるTDD配置における考慮（Consideration  on  Different  TDD  Configuration）」;  R2-112938、「CC特定のTDD配置の動作原理（Operation  Principles  of  CC  specific  TDD  Configuration）」;  R2-112946、「バンド間のキャリアアグリゲーションを有するセル特定のTDD配置（Cell  specific  TDD  configuration  with  inter-band  CA）」;  R2-113216、「Rel-11キャリアアグリゲーションにある混合のバンド間TDD構成の支持（Support  of  Mixed  Inter-Band  TDD  Configurations  in  Rel-11  CA）」;  3GPP  TS  36.321  V10.1.0（2011-03）、「発展型ユニバーサル地上無線アクセス（E-UTRA）;  MACプロトコル仕様（MAC  protocol  specification）」;及び3GPP  TS  36.300  V10.2.0（2010-12）、「発展型ユニバーサル地上無線アクセスネットワーク（E-UTRAN）;  総合的記述（Overall  description）;  ステージ２」、を含む。上述の標準と文書は、ここに明示的に組み込まれる。
【０００９】
図１は、本発明の１つの実施形態に基づく、多重アクセス無線通信システムの図を表している。アクセスネットワーク１００（AN）は、１つは１０４と１０６を含み、もう１つは１０８と１１０を含み、またもう１つは１１２と１１４を含む多重アンテナグループを含む。図１では、２つのアンテナのみが各アンテナグループに表されているが、それより多い、または少ないアンテナが各アンテナグループに用いられてもよい。アクセス端末（AT）１１６は、アンテナ１１２及び１１４と通信し、アンテナ１１２及び１１４は、フォワードリンク１２０を通じて情報をアクセス端末１１６に送信し、リバースリンク１１８を通じて情報をアクセス端末１１６から受信する。アクセス端末（AT）１２２は、アンテナ１０６及び１０８と通信し、アンテナ１０６及び１０８は、フォワードリンク１２６を通じて情報をアクセス端末（AT）１２２に送信し、リバースリンク１２４を通じて情報をアクセス端末（AT）１２２から受信する。FDDシステムでは、通信リンク１１８、１２０、１２４、及び１２６は、通信に異なる周波数を用いてもよい。例えば、フォワードリンク１２０は、リバースリンク１１８で用いられる周波数と異なる周波数を用いることができる。
【００１０】
アンテナの各グループ及び／または通信用に設計された領域は、通常、アクセスネットワークのセクタと呼ばれる。実施形態では、それぞれのアンテナのグループは、アクセスネットワーク１００によって覆われた領域のセクタのアクセス端末と通信するように設計される。
【００１１】
フォワードリンク１２０を用いる通信では、アクセスネットワーク１００の送信アンテナは、異なるアクセス端末１１６及び１２２のフォワードリンクの信号対雑音比を改善するために、ビーム形成を用いることができる。また、ビーム形成を用いてその受信可能範囲中にランダムに分散されたアクセス端末に送信するアクセスネットワークは、単一アンテナによって全てのそのアクセス端末に送信するアクセスネットワークよりも、隣接のセルに位置するアクセス端末に対して干渉を低減する。
【００１２】
アクセスネットワーク（AN）は、端末と通信するのに用いられる固定局または基地局であることができ、アクセスポイント、ノードB（Node  B）、基地局、エンハンスド基地局（enhanced  base  station）、エンハンスドノードB（eNodeB）、または他のいくつかの技術用語で呼ばれることもできる。アクセス端末（AT）は、ユーザ端末（UE）、無線通信装置、端末、アクセス端末、またはいくつかの他の技術用語で呼ばれることもできる。
【００１３】
図２は、多入力多出力（Multiple-Input  Multiple-Output；MIMO）システム２００内の送信システム２１０（アクセスネットワークとも知られる）及び受信システム２５０（アクセス端末（AT）またはユーザ端末（UE）とも知られる）の模範的な実施形態の基本ブロック図である。送信システム２１０では、複数のデータストリームのトラフィックデータは、データソース２１２から送信（TX）データプロセッサ２１４に提供される。
【００１４】
１つの実施形態において、各データストリームは、対応する送信アンテナ上に伝送される。TXデータプロセッサ２１４は、コード化されたデータを提供するデータストリームに選択された特定のコード体系に基づき、各データストリームのトラフィックデータをフォーマット化し、コード化して、インターリーブする。
【００１５】
各データストリームのコード化されたデータは、OFDM技術を用いてパイロットデータで多重化され得る。パイロットデータは、一般的に従来の方式で処理される従来のデータパターンであり、受信システムに用いられてチャネル応答を推定し得る。次いで、各データストリームの多重化されたパイロット及びコード化されたデータは、変調シンボルを提供する各データストリームに選択された特定の変調方式（例えば、BPSK、QPSK、  M-PSK、またはM-QAM）に基づき、変調される（即ち、シンボルマップされる（symbol  mapped））。各データストリームのデータ転送速度、コーディング、及び変調は、プロセッサ２３０によって実行される命令によって決定され得る。
【００１６】
次いで、全てのデータストリームの変調シンボルは、TX  MIMOプロセッサ２２０に提供され、変調シンボルを更に処理し得る（例えばOFDMの）。次いで、TX  MIMOプロセッサ２２０は、NT変調シンボルストリームをNT送信機（TMTR）２２２a〜２２２tに提供する。ある実施形態において、TX  MIMOプロセッサ２２０は、ビーム形成重量をデータストリームのシンボルに、且つシンボルが伝送されているアンテナに用いている。
【００１７】
各送信機２２２は、各々のシンボルストリームを受けて処理し、１つ以上のアナログ信号を提供し、アナログ信号を更に調整（例えば増幅、フィルタリング、及びアップコンバート）して、伝送に好適に変調された信号をMIMOチャネルに提供する。次いで、送信機２２２a〜２２２tのNT変調信号は、それぞれNTアンテナ２２４a〜２２４tから伝送される。
【００１８】
受信システム２５０では、伝送された変調信号は、NRアンテナ２５２a〜２５２rによって受けられ、各アンテナ２５２から受信した信号は、各々の受信機（RCVR）２５４a〜２５４rに提供される。各受信機２５４は、各々の受信した信号を調整（例えば増幅、フィルタリング、及びアップコンバート）して、調整された信号をデジタル化してサンプルに提供し、サンプルを処理して対応する「受信した」シンボルストリームを提供する。
【００１９】
次いで、RXデータプロセッサ２６０は、特定の受信機処理技術に基づき、NR受信機２５４からNR受信シンボルストリームを受けて処理し、NT「検出した」シンボルストリームを提供する。次いで、RXデータプロセッサ２６０は、各検出されたシンボルストリームを再変調し、インターリーブし、デコードしてデータストリームのトラフィックデータを復元する。RXデータプロセッサ２６０による処理は、送信システム２１０でTX  MIMOプロセッサ２２０及びTX  データプロセッサ２１４によって実行される処理と相補的である。
【００２０】
プロセッサ２７０は、どのプリコーディングマトリクスを用いるかを周期的に決定する（後述される）。プロセッサ２７０は、マトリクスインデックス（matrix  index）部分とランク値（rank  value）部分を含む逆方向リンクメッセージを定式化（formulate）する。
【００２１】
逆方向リンクメッセージは、通信リンク及び／または受けたデータストリームに関する情報の種々のタイプを含み得る。次いで、逆方向リンクメッセージは、データソース２３６から複数のデータストリームのトラフィックデータも受けるTX  データプロセッサ２３８によって実行され、変調器２８０によって変調され、受信機２５４a〜２５４rによって調整されて受信機システム２１０に返送される。
【００２２】
送信システム２１０では、受信システム２５０からの変調された信号は、アンテナ２２４によって受信され、受信機２２２によって調整され、復調器２４０によって復調され、RXデータプロセッサ２４２によって処理され、受信システム２５０によって伝送された逆リンクメッセージを抽出する。次いで、プロセッサ２３０は、ビーム形成重量を決めるのに、どのプリコーディングマトリクスを用いるかを決め、次いで抽出されたメッセージを処理する。
【００２３】
図３を用いて説明する。この図は、本発明の１つの実施形態に基づく、通信デバイスの代替的な簡略化した機能的なブロック図を表している。図に示されるように、無線通信システムの通信デバイス３００は、図１のUE（またはAT）１１６及び１２２を実行するのに用いられることができ、無線通信システムは、LTEシステムが好ましい。通信デバイス３００は、入力デバイス３０２、出力デバイス３０４、制御回路３０６、中央処理装置（CPU）３０８、メモリ３１０、プログラムコード３１２、及び送受信機３１４を含み得る。制御回路３０６は、CPU３０８によってメモリ３１０のプログラムコード３１２を実行して、通信デバイス３００の動作を制御する。通信デバイス３００は、キーボードまたはキーパッドなどの入力デバイス３０２を介してユーザによって入力した信号を受信し、出力デバイス３０４を介して、モニタまたはスピーカなどの画像及び音声を出力し得る。送受信機３１４は、無線信号を受信及び送信するのに用いられ、受信した信号を制御回路３０６に送り、無線で制御回路３０６によって発生された信号を出力する。
【００２４】
図４は、本発明の１つの実施形態に基づく、図３に示されたプログラムコード３１２の機能ブロック図である。本実施形態では、プログラムコード３１２は、アプリケーション層４００、第３層４０２、及び第２層４０４を含み、第１層４０６に接続される。第３層４０２は、通常、無線リソース制御を行う。第２層４０４は、通常、リンク制御を行う。第１層４０６は、通常、物理接続を行う。
【００２５】
一般的には、マシン通信（machine  type  communication；  MTC）は、人間相互作用を必ずしも必要としない１つ以上の実体を含むデータ通信の形式である。
マシン通信用に最適化されたサービスは、人と人とのコミュニケーション用に最適化されたサービスとは、異なる可能性がある。
【００２６】
３GPP  RP-１１０４５１は、一般的にLTEキャリアアグリゲーション（CA）を増強する作業項目を紹介している。具体的には３GPP  RP-１１０４５１の第４節に詳述している：
4              Objective*
The work should fulfill the following objectives:
・Specify the support of the use of multiple timing
advances in case of LTE uplink carrier aggregation
・Identify details for the LTE Carrier Aggregation enhancements
methods to be specified through tradeoff analyses where aspects from all the
relevant RAN WGs are considered. Redundant solutions and enhancement methods
for the same purposes e.g. on different layers should be avoided. Enhancements
on the following areas are investigated:
・Possible improvements in the related signaling for the use of LTE
carrier aggregation, including 
i.    UL and DL physical layer signaling,
ii.    RRC and MAC signaling to support carrier aggregation,
iii.    enhanced transmit diversity schemes for PUCCH format 3 and PUCCH format
1b with channel selection
・Support of inter-band carrier aggregation for TDD DL and UL
including different uplink-downlink configurations on different bands
・[Carrier Aggregation support for relay backhaul]
【００２７】
３GPP  RP-１１０４５１に見られるように、異なるCAのキャリアにおいて、異なる時分割多重（TDD）アップリンク‐ダウンリンク（UL-DL）構成が支援される可能性がある。また、ハイブリッド自動再送要求（Hybrid  Automatic  Repeat  reQuest  ;  HARD）フィードバック、ネットワーク配置（deployment）、トレードオフ分析に関するいくつかの討論が３GPP  R２−１１２７９８、R２−１１２８１６、R２−１１２９３８、R２−１１２９４６、及びR２−１１３２１６に紹介されている。
【００２８】
また、３GPP  TS３６.３２１の第３.１節は、不連続受信（DRX動作）を討論している。具体的には３GPP  TS３６.３２１の第３.１節に詳述している：
−アクティブ時間（active  time）は、ユーザ端末が物理ダウンリンク制御チャネル（PDCCH）サブフレームでPDCCHをモニター中のDRX動作に関連する時間である。
【００２９】
−不連続受信−インアクティビティタイマー（InactivityTimer）は、このユーザ端末用に初期のULまたはDLユーザデータ伝送を示すPDCCHをデコーディングすることに成功した後、連続したPDCCH−サブフレームの数を明示する。
【００３０】
−不連続受信−再送信タイマー（RetransmissionTimer）は、DL再送信がユーザ端末によって予期されると、連続したPDCCH−サブフレームの最大数を明示する。
【００３１】
−オンデュレーションタイマー（onDuration  timer）は、DRXサイクルの開始に、連続したPDCCH−サブフレームの数を明示する。
【００３２】
−PDCCH−サブフレームは、物理ダウンリンク制御チャネルを有するサブフレームを指すか、またはリバースパケットデータ制御チャネルが配置されて一時停止されない中継ノード（Relay  Nord；  RN）用のリバースパケットデータ制御チャネルを有するサブフレームを指す。周波数分割多重ユーザ端末の動作では、これは任意のサブフレームを示し、時分割多重では、ダウンリンクサブフレーム及びダウンリンクパイロットタイムスロット（Downlink  Pilot  Time  Slot；DwPTS）を含むサブフレームのみを示す。E-UTRANとのその通信で、且つ中継ノードのサブフレーム配置が配置されて一時停止されない中継ノードでは、これは全てのダウンリンクサブフレームがE-UTRANとの中継ノード通信をするように配置されることを示す。
【００３３】
また、３GPP  TS３６.３２１の第５.７節は、下記のように不連続受信（DRX）動作を討論している：
5.7        Discontinuous Reception (DRX)
The UE may be configured by RRC with a DRX functionality that controls the UE’s
PDCCH monitoring activity for the UE’s C-RNTI, TPC-PUCCH-RNTI, TPC-PUSCH-RNTI 
and Semi-Persistent Scheduling C-RNTI (if configured). When in RRC_CONNECTED, 
if DRX is configured, the UE is allowed to monitor the PDCCH discontinuously 
using the DRX operation specified in this subclause; otherwise the UE monitors
the PDCCH continuously. When using DRX operation, the UE shall also monitor
PDCCH according to requirements found in other subclauses of this specification.
RRC controls DRX operation by configuring the timers onDurationTimer, 
drx-InactivityTimer, drx-RetransmissionTimer (one per DL HARQ process except
for the broadcast process), the longDRX-Cycle, the value of the drxStartOffset
and optionally the drxShortCycleTimer and shortDRX-Cycle. A HARQ RTT timer per 
DL HARQ process (except for the broadcast process) is also defined 
(see subclause 7.7).
[…]
【００３４】
また、３GPP  TS３６.３００に基づき、キャリアアグリゲーションでは、ユーザー端末が１つのサービングセル（即ちPCell）Rel−８／９のみで配置される時、不連続受信が用いられる。他の状況では、同一の不連続受信動作が全ての配置され且つアクティブ化されたサービングセル（即ち、PDCCHモニタリングのための同一のアクティブ時間）に用いられる。
【００３５】
また、３GPP  TS３６.３００の第５.５及び７.５節に詳述している：
5.5           
Carrier Aggregation
In Carrier Aggregation (CA), two or more component carriers (CCs) are aggregated
in order to support wider transmission bandwidths up to 100MHz. 
A UE may simultaneously receive or transmit on one or multiple CCs depending on
its capabilities:
-     A Rel-10 UE with reception and/or transmission capabilities for 
CA can simultaneously receive and/or transmit on multiple CCs corresponding to 
multiple serving cells;
-     A Rel-8/9 UE can receive on a single CC and transmit on a 
single CC corresponding to one serving cell only.
CA is supported for both contiguous and non-contiguous CCs with each CC limited 
to a maximum of 110 Resource Blocks in the frequency domain using the Rel-8/9
numerology.
It is possible to configure a UE to aggregate a different number of CCs 
originating from the same eNB and of possibly different bandwidths in the 
UL and the DL.
-     The number of DL CCs that
can be configured depends on the DL aggregation capability of the UE;
-     The number of UL CCs that can be configured 
depends on the UL aggregation capability of the UE;
-     It is not possible to configure a UE 
with more UL CCs than DL CCs;
-     In typical TDD deployments, the number of CCs 
and the bandwidth of each CC in UL and DL is the same.
CCs originating from the same eNB need not to provide the same coverage.
CCs shall be LTE Rel-8/9 compatible. Nevertheless, existing mechanisms 
(e.g. barring) may be used to avoid Rel-8/9 UEs to camp on a CC.
[…]
7.5           
Carrier Aggregation
When CA is configured, the UE only has one RRC connection
with the network. At RRC connection establishment/re-establishment, one serving
cell provides the security input (one ECGI, one PCI and one ARFCN) and the NAS
mobility information (e.g. TAI) similarly as in Rel-8/9. This cell is referred
to as the Primary Serving Cell (PCell). In the downlink, the carrier
corresponding to the PCell is the Downlink Primary Component Carrier (DL PCC)
while in the uplink it is the Uplink Primary Component Carrier (UL PCC).
Depending on UE capabilities, Secondary Serving Cells
(SCells) can be configured to form together with the PCell a set of serving
cells. In the downlink, the carrier corresponding to an SCell is a Downlink
Secondary Component Carrier (DL SCC) while in the uplink it is an Uplink
Secondary Component Carrier (UL SCC).
The configured set of serving cells for a UE therefore
always consists of one PCell and one or more SCells:
-     For each SCell the usage of uplink resources 
by the UE in addition to the downlink ones is configurable (the number of 
DL SCCs configured is therefore always larger or equal to the number of 
UL SCCs and no SCell can be configured for usage of uplink resources only);
-     The number of serving cells that can be 
configured depends on the aggregation capability of the UE (see subclause 5.5);
-     PCell can only be changed with handover procedure 
(i.e. with security key change and RACH procedure);
NOTE:     PCell change optimisations 
(e.g. not involving a handover procedure) are FFS.
-     PCell is used for transmission of PUCCH;
-     Unlike SCells, PCell cannot be de-activated 
(see subclause 12.1);
-     Re-establishment is triggered when PCell 
experiences RLF, not when SCells experience RLF; 
-     NAS information is taken from PCell.
The reconfiguration, addition and removal of SCells can be performed 
by RRC. At intra-LTE handover, RRC can also add,remove, or reconfigure 
SCells for usage with the target PCell. When adding a new SCell, dedicated 
RRC signalling is used for sending the system information of the SCell 
required for transmission/reception (similarly as in Rel-8/9 for handover).
【００３６】
時分割多重では、３GPP  TS３６.３００の別添J.1は、キャリアアグリゲーションがフレームタイミングを配置した時の制限を述べており、単一周波数ネットワーク（Single  Frequency  Network；  SFN）及び時分割多重配置（TDD-Config）は、集合され得るセルで調整される。また、TDD-Configは、どのTDD  UL-DL配置が使われるかを示すのに用いられる（即ち、#０から#６まで）。下方の表１は、現在の可能性を示している。
【００３７】
【表１】
0005490174.tif 000002
【００３８】
表に示されるように、２つのTDDコンポーネントキャリアが集合された場合、それらは同じUL−DL配置（即ち同一のインデックス）でなければならない。また、３GPP  TS３６.２１１に基づき、無線フレームの各サブフレームでは、「D」は、サブフレームがダウンリンク伝送用に保留されていることを示し、「U」は、サブフレームがアップリンク伝送用に保留されていることを示し、且つ「S」は、３つのフィールド、ダウンリンクパイロットタイムスロット（DwPTS）、ガードピリオド（GP）、及びアップリンクパイロットタイムスロット（UpPTS）の特定のサブフレームを示している。
【００３９】
プライマリサービングセル（PCell）及び異なるTDD  UL-DL配置を有する異なるセカンダリサービングセル（SCell）がCAに集合された時、同一のDRX配置を用いることを実行することは、適合しない可能性がある。なぜならばユーザ端末がなお１セットのdrx-InactivityTimer、  drxRetransmissionTimer、及び  onDurationTimerで配置される場合、どのように集合されたセルで連続したPDCCHサブフレームに対してタイマーをどのように起動するかを処理する方法が必要である。
【００４０】
図５は、１つの実施形態に基づく、流れ図５００を示している。ステップ５０５では、複数のサービングセルは、キャリアアグリゲーション内に配置される。ステップ５１０では、この複数のサービングセルは、複数のTDD  UL-DL配置に配置される。ステップ５１５では、この複数のセルは、DRX動作内に配置される。ステップ５２０では、１セットのDRXタイマーは、この複数のセル内に配置される。ステップ５２５は、このセットのDRXタイマーをこの複数のセル内に動作させるステップを含む。
【００４１】
１つの実施形態では、異なるTDD  UL-DL配置を有する少なくとも２つのセルが集合されて、DRX動作が配置されたと仮定すると、１セットのDRXタイマーは、TDD  UL-DL配置毎に配置されることができるため、同一のTDD配置を有するセルに同一のアクティブ時間がある。１セットのDRXタイマーは、｛onDurationTimer,  drx-InactivityTimer,  drxRetransmissionTimer｝のサブセットであり得る。また、全てのセルが同一のTDD  UL-DL配置を有する場合、１セットのDRXタイマーは、全ての配置されたセルに用いられ得る。また、１セットのDRXタイマーは、配置されたセル内に異なるTDD  UL-DL配置がある場合、セルごとに用いられ得る。１セットのDRXタイマーは、{onDurationTimer,  drx-InactivityTimer,  drxRetransmissionTimer}のサブセットであり得る。
【００４２】
もう１つの実施形態では、いくつかの方法または技術は、ユーザ端末に次のPDCCHサブフレーム（即ち、どのセル及び／またはどの伝送時間間隔（transmission  time  interval;  TTI）において）の位置を知らせるように用いられることができる。これらの方法または技術は、スケジューリングセル（scheduling  Cell）（即ち、配置されたPDCCHを有する）に制限される可能性もあり、制限されない可能性もある。
【００４３】
第１の方法または技術は、通常、特定セルを用いている。明確な指示は、無線リソース制御(RRC)メッセージ（例えば、ネットワークからユーザ端末に送信される再設定メッセージ（Reconfiguration  Message））に含まれ、ユーザ端末にどのセルが次のPDCCHサブフレームを探すように（連続したPDCCHサブフレームを処理するのに）用いられるべきか通知する。PCellは、次のPDCCHサブフレームを探すのに非明示的に用いられることができる。下記の表２は、例である。例では、異なるTDD  UL-DL配置０（PCell）、３、及び６を有する４つのセルが集合される。「P」は、DRXタイマーを処理するPDCCHサブフレームと見なされることができる。
【００４４】
【表２】
0005490174.tif 000003
【００４５】
連続したPDCCHサブフレームは、１つのセルから見つかる。同時に他のセルから他のPDCCHサブフレームがある場合、ユーザ端末は、PDCCHサブフレームのPDCCHをモニターすることもできる。
【００４６】
第２の方法または技術は、最多のPDCCHサブフレームを有するセルを用いている。同数のPDCCHサブフレームを有するセルが１つ以上の場合、どのセルでも選択されることができる。
【００４７】
第３の方法または技術は、最少のPDCCHサブフレームを有するセルを用いている。ここでは、最少のPDCCHサブフレームを有するセルは、次のPDCCHサブフレームを探すのに用いられる。
【００４８】
第４の方法または技術は、セルのPDCCHサブフレームの集合（union）を用いている。この方法または技術を用いると、全てのセルで最も近接のPDCCHサブフレームは、次のPDCCHサブフレームとして見なされる。言い換えると、全てのセルのPDCCHサブフレームの集合は、次のPDCCHサブフレームを探すのに用いられる。例は、下記の表３に提供される。
【００４９】
【表３】
0005490174.tif 000004
【００５０】
第５の方法または技術は、セルのPDCCHサブフレームの共通集合（intersection）を用いている。ここでは、全てのセルに生じる最も近接のPDCCHサブフレームは、次のPDCCHサブフレームとして見なされる。言い換えると、全てのセルのPDCCHサブフレームの共通集合は、次のPDCCHサブフレームを探すのに用いられる。例は、下記の表４に示される。
【００５１】
【表４】
0005490174.tif 000005
【００５２】
第６の方法または技術は、それらのいくつかはPDCCHサブフレームでないが、全てのサブフレームまたは伝送時間間隔を次のサブフレームの候補として見なしている。しかしながら、この方法は、いくつかのDRXタイマーに用いられることができる。
【００５３】
drxRetransmissionTimerでは、第７の方法は、このタイマーの目的がスケジューリングサービングセルからしかスケジュールされ得ない再伝送に用いるもののため、配置されたPDCCHを有するスケジューリングサービングセルを用い、タイマー計測の次のPDCCHサブフレームを探す。
【００５４】
図３と図４を再度参照下さい。ユーザ端末３００は、メモリ３１０に保存されたプログラムコード３１２を含む。１つの実施形態では、CPU３０８は、プログラムコード３１２を実行し、（１）複数のセルをキャリアアグリゲーション内に配置し、（２）複数のセルを複数のTDD  UL-DL配置内に配置し、（３）複数のセルをDRX動作内に配置し、（４）１セットのDRXタイマーを複数のセル内に配置し、（５）前記セットのDRXタイマーを複数のセル内に動作させる。
【００５５】
また、CPU３０８は、プログラムコード３１２を実行し、全ての上述の動作及びステップまたはここに述べられたその他を実行することができる。
【００５６】
この開示の種々の態様は上記に記述されている。ここでの教示が種々様々の形式で具体化されてもよいこと、及び、ここに開示されている任意の特定の構造、機能、または両方は単に代表に過ぎないことは明らかである。ここでの教示に基づいて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造及び機能性を用いて実行されてもよい。上記の概念のうちのいくつかの例として、いくつかの態様では、同時チャネルはパルス繰返周波数に基づいて確立されてもよい。ある態様では、同時チャネルはパルス繰返し周波数に基づいて確立されてもよい。ある態様では、同時チャネルは時間ホッピングシーケンスに基づいて確立されてもよい。ある態様では、同時チャネルは、パルス繰返周波数、パルス位置またはオフセット、及び時間ホッピングシーケンスに基づいて確立されてもよい。
【００５７】
情報及び信号は、様々な異なる技術及び技法のうちのいずれかを使用して表され得ることを当業者は理解するであろう。例えば、以上の説明の至るところで参照され得るデータ、命令、コマンド、情報、信号、ビット、記号、及びチップは、電圧、電流、電磁波、磁場もしくは磁性粒子、光場もしくは光粒子、またはそれらの任意の組み合わせによって表され得る。
【００５８】
当業者は、種々の例示的な論理ブロック、モジュール、プロセッサ、手段、回路、及びここで開示された態様に関連して記述されたアルゴリズムステップが電子ハードウェア（例えば、デジタル実装、アナログ実装またはソースコーディングまたは他のいくつかの技術を用いて設計されてもよい２つの組み合わせ）、命令を取り込むプログラムまたは設計コードの種々の形式（ここでは利便性上、「ソフトウェア」または「ソフトウェアモジュール」と呼ぶ）、または、この両方の組み合わせとして実装されてもよいことをさらに認識するだろう。ハードウェア及びソフトウェアのこの交換可能性を明瞭に例示するために、様々な例示的な要素、ブロック、モジュール、回路、及びステップが、一般的に、それらの機能性に関して記述されている。かかる機能性がハードウェアまたはソフトウェアとして実装されるかどうかは、システム全体に課せられた特定の応用及び設計制約に依存する。当業者は、記述された機能性を、それぞれの特定の応用に関して様々な方法で実装してもよいが、かかる実装決定は、本開示範囲からの逸脱を引き起こすと解釈されるべきではない。
【００５９】
ここで開示された態様に関連して記述される種々の例示の論理ブロック、モジュール、及び回路は、集積回路（「IC」）内に実装されてもよいし、ICによって実行されてもよい。ICは、汎用プロセッサ、デジタル信号プロセッサ（DSP）、特定用途向け集積回路（ASIC）、フィールドプログラマブルゲートアレイ（FPGA）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またIC内部、IC外部、またはその両方に存在するコードまたは命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組み合わせ（例えば、DSPとマイクロプロセッサの組み合わせ、複数のマイクロプロセッサ、DSPコアと連動する１以上のマイクロプロセッサ、または任意の他のそのような構成）として実装されてもよい。
【００６０】
任意の開示されたプロセスにおける任意の特定の順序またはステップの階層が、サンプルアプローチの例であることは理解される。設計選択に基づいて、プロセスにおける任意の特定の順序またはステップの階層が、本開示の範囲内にありつつ再整理されてもよいことは理解される。伴う方法は、サンプル順序での種々のステップの現在の要素を請求し、現在の特定の順序またはステップの階層に限定することを意味しない。
【００６１】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令及び関連するデータを含む）ソフトウェアモジュール及び他のデータは、RAMメモリ、フラッシュメモリ、ROMメモリ、EPROMメモリ、EEPROMメモリ、レジスタ、ハードディスク、リムーバブルディスク、CD−ROM、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えばコード）を記憶媒体から読み出し、記憶媒体へ書き込みすることができる。サンプル記憶媒体はプロセッサに不可欠かもしれない。プロセッサ及び記憶媒体はASIC内に存在してもよい。ASICはユーザー機器に存在してもよい。代替案では、プロセッサと記憶媒体はユーザー機器において個別部品として存在してもよい。さらに、いくつかの態様では、いずれか適切なコンピュータプログラム製品も、この開示の態様の１つ以上に関連するコードを具備するコンピュータ読取可能媒体を具備してもよい。ある態様では、コンピュータプログラム製品は包装材料を具備してもよい。
【００６２】
この発明は種々の態様に関連して記述されているが、この発明がさらなる変更ができることは理解される。本用途は、本発明の一般的な原理を用いて、本発明の任意の変形、使用または改造を含むことが意図される。さらに、本用途は、本発明が属する分野において公知の、または慣例的実施の範囲内に入るような本開示からの逸脱を含むことが意図される。
【符号の説明】
【００６３】
１００  アクセスネットワーク
１０４、１０６、１０８、１１０、１１２、１１４  アンテナ
１１６  アクセス端末（AT）
１１８、１２４  リバースリンク
１２０、１２６  フォワードリンク
１２２  アクセス端末（AT）
２１０  送信システム
２１２  データソース
２１４  送信（TX）データプロセッサ
２２０  TX  MIMOプロセッサ
２２２a〜２２２t  送信機／受信機
２２４a〜２２４t、２５２a〜２５２r  アンテナ
２３０、２７０  プロセッサ
２３２、２７２、３１０  メモリ
２３６  データソース
２３８  TXデータプロセッサ
２４２、２６０  RXデータプロセッサ
２４０  復調器
２５０  受信システム
２５２a〜２５２r  アンテナ
２５４a〜２５４r  送信機
２８０  変調器
３００  通信デバイス
３０２  入力デバイス
３０４  出力デバイス
３０６  制御回路
３０８  中央処理装置（CPU）
３１２  プログラムコード
３１４  送受信機
４００  アプリケーション層
４０２  第３層
４０４  第２層
４０６  第１層
５００  流れ図
５０５、５１０、５１５、５２０、５２５  ステップ
【図１】
0005490174.tif 000006
【図２】
0005490174.tif 000007
【図３】
0005490174.tif 000008
【図４】
0005490174.tif 000009
【図５】
0005490174.tif 000010